【事件の表示】
　特許第２７８４４６５号「電子楽器」の請求項１及び２に係る特許に対する特許異議の申立てについて、次のとおり決定する。
【結　論】
　訂正を認める。
　特許第２７８４４６５号の請求項１、２に係る特許を維持する。
【理　由】
 I【手続きの経緯】
　本件特許第２７８４４６５号に係る発明についての出願は、平成１年２月２６日に特許出願した特願平１−４４２７１号の一部を平成８年１０月７日に新たな特許出願とし、平成１０年５月２９日にその発明について特許の設定登録がなされた後、その特許について、松本克範より特許異議の申立てがなされ、取消理由通知がなされ、その指定期間内である平成１２年５月９日に訂正請求がなされたものである。
II【訂正の適否についての判断】
ア．訂正明細書の請求項１及び２に係る発明
　訂正明細書の請求項１及び２に係る発明は、その特許請求の範囲の請求項１及び２に記載された次のとおりのものである。
「【請求項１】複数の楽音発生器と、
　複数の鍵を有する鍵盤と所望の音色を設定する複数の音色選択スイッチと、それらを走査して得られた鍵・音色情報に応じた各種の制御信号を各楽音発生器に対応させて送出する実行制御回路と、
　鍵情報に応じた周波数ナンバを各楽音発生器に対応させて格納する周波数ナンバ回路と、
　該周波数ナンバ回路の出力値を時分割に累算し、鍵情報に応じたアドレスを出力する累算手段とを具備し、
　前記鍵情報に応じたアドレスによりデータ形式の異なる各種波形データが予め格納されている波形データ記憶装置のデータを読出して、前記複数の楽音発生器により所望の楽音を発生する電子楽器において、
　前記波形データ記憶装置より読出される所望波形データのデータ形式を変換するデータ形式変換回路を具備し、
　該データ形式変換回路は前記実行制御回路からの制御信号に制御されて、所望の音色
及び
、さらにこの各楽音発生器ごとに前記音色及び音域が設定されていて、しかも該データ変換内容が各楽音発生器ごとに設定され、さらにこのデータ変換は前記音色及び音域に応じていて、しかも該データ変換は前記各楽音発生器ごとに実行され
【請求項２】前記実行制御回路からの制御信号を格納する状態メモリを前記実行制御回路と前記データ形式変換回路との間に具備し、該状態メモリを読出した出力により前記データ形式変換回路の動作を制御することを特徴とする請求項１記載の電子楽器。」
イ．訂正の目的の適否、新規事項の有無及び拡張・変更の存否
　特許権者が求めている訂正の内容は、以下のａ〜ｇのとおりである。
ａ．請求項１及び２を、上記訂正明細書の請求項１及び２に訂正する。
ｂ．【発明の詳細な説明】欄の段落【０００１】の「波形データ記憶装置
を
から
ｃ．【発明の詳細な説明】欄の段落【０００９】の「所望の音色
または
及び
ｄ．【発明の詳細な説明】欄の段落【００１３】の「入力データＭＤ１５〜０
ば
は
ｅ．【発明の詳細な説明】欄の段落【００１６】の「それを読ん
て
で
ｆ．【発明の詳細な説明】欄の段落【００１７】の「波形データ記憶装置に含まれるメモリのアドレス形式に応じてアドレス
１ビ
スビ
ｇ．【発明の詳細な説明】欄の【符号の説明】の「１
：
１
２
ス制
　以下、上記訂正事項ａ〜ｇについて検討する。
　上記訂正事項ａは、特許明細書の特許請求の範囲の請求項１及び２の「該データ形式変換回路は前記実行制御回路からの制御信号に制御されて、所望の音色
または
せる
及び
せ、さらにこの各楽音発生器ごとに前記音色及び音域が設定されていて、しかも該データ変換内容が各楽音発生器ごとに設定され、さらにこのデータ変換は前記音色及び音域に応じていて、しかも該データ変換は前記各楽音発生器ごとに実行され
　また、上記訂正事項ｂは、誤記の訂正に該当し、上記訂正事項ｃは、上記特許請求の範囲の訂正事項ａ伴い、これと整合を図るためのものであり、明瞭でない記載の釈明に該当し、さらに上記訂正事項ｄ〜ｇは、誤記又は明瞭でない記載の釈明に該当し、それらの各訂正事項ｄ〜ｇは、いずれも特許明細書に記載されている事項の範囲内のものであるから、新規事項の追加に該当せず、また実質上特許請求の範囲を拡張し、又は変更するものでもない。
ウ．独立特許要件の判断
《引用刊行物記載の発明》
　訂正明細書の請求項１及び２に係る発明（以下、「本件発明１及び２」という。）に対して、当審が通知した取消理由で引用した刊行物１：特開昭６１−９５６２５号公報には、「楽音信号発生装置」（発明の名称）に関し、図面と共に次のとおりの記載がある。
１．「複数の異なる波形を記憶しており、かつ、それらの波形の少なくとも１つが他とは異なる符号化形式で符号化されたものである波形メモリと、　発生すべき楽音信号の波形を前記波形メモリに記憶された波形の中から選択する波形選択手段と、前記波形選択手段によって選択された波形のデータを前記波形メモリから読み出す読み出し手段と、　前記波形メモリから読み出された波形のデータをその符号化形式に応じて所定の共通の符号化形式に変換する復号手段と、
　を具えた楽音信号発生装置。」（特許請求の範囲）
２．「なお、説明の簡単化のためにこの例の電子楽器は単音式であるとし、押鍵検出回路２は単音選択機能を持つものとする。しかし、公知のキーアサイナを用いて複音仕様にし得るのは勿論である。
　アドレス発生器３は押鍵検出回路２から与えられたキーコードＫＣに基づき押圧鍵の音高に対応したレートで変化するアドレス信号ＡＤを発生する。このアドレス信号ＡＤは波形メモリ４のサンプル点アドレス入力に与えられ、各サンプル点毎の波形データを順次読み出すために使用される。　　波形メモリ４は、音色選択回路５によって選択可能な複数種類の音色に対応して複数の異なる波形を記憶しており、それらの波形の少なくとも１つが他とは異なる符号化形式で符号化されている。一例として、各音色毎の波形の特徴に応じて、各波形はＰＣＭ方式又はＤＰＣＭ方式のどちらか一方に従って符号化されているものとし、波形メモリ４は、大別して、ＰＣＭ方式で符号化された波形の波形データを記憶したＰＣＭデータメモリ部４Ａと、ＤＰＣＭ方式で符号化された波形の波形データを記憶したＤＰＣＭデータメモリ部４Ｂとから成る。・・・（中略）・・・
　符号化形式メモリ７は、各音色に対応する波形が波形メモリ４においてどの符号化形式で記憶されているかを示すデータを記憶するものであり、音色選択情報ＴＣをアドレス入力に入力し、この音色選択情報ＴＣによって示された音色に関わる符号化形式を示すデータを出力する。この例ではＰＣＭとＤＰＣＭの２通りの符号化形式を採用するものとしているので、メモリ７から読み出される符号化形式表示データＤＰはそのどちらかを示すデータであり、例えばＤＰ＝”１”のときＤＰＣＭ方式を示し、ＤＰ＝”０”のときＰＣＭ方式を示す。このデータＤＰは復号回路６に与えられ、該回路６における復号操作の内容を指示する。すなわち、ＤＰ＝”０”のときは格別の復号操作は行わず、ＰＣＭ方式の波形データをそのまま出力させるが、ＤＰ＝”１”のときはＤＰＣＭ方式の波形データをＰＣＭ方式に変換する復号操作を行うよう指示する。」（公報第３頁左上欄第７行〜同頁右下欄第１１行）
３．「第４図の実施例では、波形メモリ２０において各鍵毎の音高（又は複数鍵からなる鍵グループ毎の音域）に対応して複数の波形が記憶されており、そのうち少なくとも１つの波形が他とは異なる符号化形式で符号化されている。前述と同様に符号化形式の種類はＰＣＭ方式とＤＰＣＭ方式のどちらかであるとし、波形メモリ２０はＰＣＭデータメモリ部２０ＡとＤＰＣＭデータメモリ部２０Ｂとを含んでいる。・・・（中略）・・・　　波形メモリ２０において各鍵毎の音高に対応して異なる波形を記憶した場合は、押圧鍵を示すキーコードＫＣを、第１図の音色選択情報ＴＣと同様に、波形メモリ２０、符号化形式メモリ７、ＤＰＣＭシフトデータメモリ８にそのまま入力する。一方、波形メモリ２０において各音域に対応して異なる波形を記憶した場合は、破線で示すように音域コード化回路２１を設け、キーコードＫＣをその所属音域を示す音域コードに変換し、この音域コードを波形メモリ２０、符号化形式メモリ７、ＤＰＣＭシフトデータメモリ８に入力する。こうして、押圧鍵の音高又は音域に応じて波形メモリ２０から読み出されるべき波形を選択すると共に、その波形の符号化形式を示すデータＤＰをメモリ７から読み出し、かつその符号化形式がＤＰＣＭ方式の場合は復号の際の重みづけのためのシフトデータＳＦをメモリ８から読み出す。・・・（中略）・・・
　また、音色種類、鍵タッチ強度、音高（又は音域）の３つの因子のうち任意の２つまたは３つの組合せに応じて波形の符号化形式を決定するようにしてもよい。その場合、この複数の因子の組合せを示すコードに応じて波形メモリから読み出すべき波形を選択すると共に符号化形式メモリ７及びＤＰＣＭシフトデータメモリ８を読み出す。」（公報第５頁左下欄第８行〜第６頁左上欄第１１行）
　同じく引用した刊行物２：実願昭６２−１２０５０８号（実開昭６４−２６７９６号）のマイクロフィルムには、図面と共に次のとおりの記載がある。
１．「本考案は、時分割処理により複数の楽音を同時に生成するポリフォニック電子楽器に関する。」（明細書第２頁第３行〜第４行）
２．「しかし、現実には，波高値データの波高分解能は一定でなくても良い。例えば、メロディ音は激しく変化するため、メロディ音用の波高値データは分解能を高くする必要があるが、ベース音は変化が小さいため、ベース音用の波高値データは必ずしも分解能を高くする必要はない。」（明細書第３頁第４行〜第９行）
３．「この考案では、例え、ビット数の異なる楽音波データが多数読出されたとしても、それらに対し、付加手段により冗長デ−夕（ビット）が付加されて一定のビット数に統一されるので、時分割処理時の複数チャンネルでの回路の共同利用が可能となる。したがって、楽音波形記憶手段には、最長のビット数に統一して楽音波形データを記憶する必要はなくなり、各楽音波形データに見合った最小のビット数で記憶することができ、その分、メモリ容量を低減でき、メモリの有効利用が図れることとなる。」（明細書第４頁第９行〜第１９行）
４．「本シンセサイザは、主制御部１の制御のもとに、楽音発生部２にて、楽音波形記憶部３に記憶されている３２チャンネルの楽音波形データを時分割で読出し、種々の音色加工等を行なって放音するポリフォニックシンセサイザである。・・・（中略）・・・
　すなわち、楽音波形記憶部３は、メロディ用の楽音波形データ、リズム用の楽音波形データ、コード進行用の楽音波形データ等を予め記憶している。メロディ用の楽音波形データとしては．例えば、バイオリンの音のように、倍音成分を多数含んだスペクトルを実現する鋸歯状波等が各種記憶されている。また、メロディ音用の楽音波形データは１２ビットデータであり、１２ビットのメモリ領域に記憶され、ベース音、リズム音、コード進行用の楽音波形データは８ビットデータであり、８ビットのメモリ領域に格納されている。」（明細書第５頁第８行〜第６頁第１６行）
５．「また、楽音波形記憶部３には、前述のように、８ビット、１２ビットの楽音波形データが格納されており、これら異なるビットの楽音波形データが加算処理される等、各楽音波形データの処理において回路が共同利用される関係で、８ビットの楽音波形データに対して、後段で、４ビットを付加し、１２ビットに統一する必要がある。そこで、各アドレスデータの最上位ビットを、８ビット楽音波形データ、１２ビット楽音波形テータのいずれが格納されているアドレス領域であるかを判別するための信号ＢＳＥＬとして利用している。すなわち、最上位ビット（信号Ｂ Ｓ Ｅ Ｌ）が”０”であれば８ビット楽音波形データ用の７ドレスデータ、”１”であれば１２ビット用楽音波形データ用のアドレスデータを示している．そして、このアドレスデータに基づいて楽音波形データが読出されると、読出された楽音波形データとともに、信号ＢＳＥＬが出力されることとなる。」（明細書第８頁第１８行〜第９頁１６第行）
６．「波形データラッチ部２４は、楽音波形記憶部３から読出された８ビットの楽音波形データとともに、アドレス制御部２２から信号ＢＳＥＬとして”０”が入力されたときは、その信号ＢＳＥＬに基づいて、８ ビットの楽音波形データに対してビットマスク処理を行い、４ビットの冗長ビットを付加して一時的に記憶する。」（明細書第１１頁第２行〜第８行）
７．「このようにしてマスク処理により、ビット数の異なる各チャンネルの楽音波形データの有効ピット数を切換え、データ長を一定にしたので、波高分解能の異なる音色の同時発音が可能となり、ひいては楽音波形記憶部３のメモリ容量を低減化することが可能となる。」（明細書第３６頁第１３行〜第１８行）
《対比・判断》
１）刊行物１には、複数の異なる波形を記憶しており、かつ、それらの波形の少なくとも１つが他とは異なる符号化形式で符号化されたものである波形メモリと、発生すべき楽音信号の波形を前記波形メモリに記憶された波形の中から選択する波形選択手段と、前記波形選択手段によって選択された波形のデータを前記波形メモリから読み出す読み出し手段と、前記波形メモリから読み出された波形のデータをその符号化形式に応じて所定の共通の符号化形式に変換する復号手段とを具えた楽音信号発生装置が記載されており（刊行物１の上記１．の記載参照）、また公知のキーアサイナを用いて複音仕様にし得ること、さらに波形メモリのＰＣＭデータメモリ部にはＰＣＭ方式の波形が記憶され、ＤＰＣＭデータメモリ部にはＤＰＣＭ方式の波形データとが記憶され、それぞれ読み出されて復号回路で復号されて出力されること、そしてこれらの波形データは音色選択情報ＴＣに応じて読み出され、符号化形式メモリからの符号化形式表示データＤＰに基づいて、上記復号を行うかどうかが決定され、この符号化形式表示データＤＰも音色選択情報ＴＣに応じたものが読み出されることが記載されており、そしてこのような音色に応じた波形データの復号は、音域についても同様に実行し得ること、また音色種類と音高（又は音域）の組合せに応じて波形の符号化形式を決定するようにしてもよいと記載されている（刊行物１の上記２．３．の記載参照）。
　それらの記載によると、刊行物１に記載の楽音信号発生装置も、本件発明１でいう“前記波形データ記憶装置より読出される所望波形データのデータ形式を変換するデータ形式変換回路を具備し、該データ形式変換回路は前記実行制御回路からの制御信号に制御されて、所望の音色または音域に応じて前記波形データ記憶装置より読出したデータをデータ変換させる”ものといえ、その点では、本件発明１と類似しているといえる。
　しかしながら、刊行物１の上記「複音仕様にし得る」、「音色に応じた波形データの復号は、音域についても同様に実行し得る」及び「音色種類と音高（又は音域）の組合わせに応じて波形の符号化形式を決定する」との記載をみても、本件発明１のような“各楽音発生器ごとに音色及び音域が設定され、しかもデータ変換内容が各楽音発生器ごとに設定され、さらにこのデータ変換は、前記音色及び音域に応じて各各楽音発生器ごとに実行される”という具体的な態様を想起することは困難である。すなわち刊行物１には、本件発明１の「この各楽音発生器ごとに前記音色及び音域が設定されていて、しかも該データ変換内容が各楽音発生器ごとに設定され、さらにこのデータ変換は前記音色及び音域に応じていて、しかも該データ変換は前記各各楽音発生器ごとに実行される」点の構成（以下、「構成Ａ」という。）については何ら記載がなく、示唆もないといえる。
２）また、刊行物２には、楽音発生部２にて、楽音波形記憶部３に記憶されている３２チャンネルの楽音波形データを時分割で読出し、種々の音色加工等を行なって放音するポリフォ二ックシンセサイザに関し、楽音波形記憶部３には、１２ビットの楽音波形データと８ビットの楽音波形データとが記憶され、それぞれ読み出されて波形データラッチ部２４で１２ビットのデータ長にそろえられて出力されること、また１２ビットデータはそのまま出力され、８ビットデータに４ビットの冗長ビットが付加されて１２ビットのデータ長にそろえられること、そしてこの４ビットの冗長ビットを付加してマスク処理するか否かは、信号ＢＳＥＬの値に基づいて行われること、さらに上記１２ビットと８ビットとの楽音波形データは、記憶アドレス領域が異なっており、この違いに基づいて、この信号ＢＳＥＬの値が決定され、アドレス制御部２２から上記波形データラッチ部２４へ送られること、さらにこの１２ビットと８ビットとの楽音波形データは波高分解能の異なる音色の同時発音を実現するためのものであり、そのような楽音波形データの読み出しと冗長ビットの付加によるマスク処理とは、３２チャンネルの各楽音ごとに実行されることが記載されている（刊行物２の上記１．〜７．の記載参照）。
　それらの記載によると、刊行物２には、“波形データ記憶装置より読出される所望波形データのデータ形式を変換するデータ形式変換回路を具備し、該データ形式変換回路は前記実行制御回路からの制御信号に制御されて、所望の音色に応じて前記波形データ記憶装置より読出したデータをデータ変換させ、さらにこの各楽音発生器ごとに前記音色が設定されていて、しかも該データ変換内容が各楽音発生器ごとに設定され、さらにこのデータ変換は前記音色に応じていて、しかも該データ変換は前記各楽音発生器ごとに実行される”点が示されているといえ、その点では本件発明１と類似している。
　しかしながら、刊行物２に記載のものは、信号ＢＳＥＬの値に基づいてデータ変換するか否かが決定され、この信号ＢＳＥＬの値は、１２ビットと８ビットとの楽音波形データのアドレスの最上位ビットに基づいて決定され、この１２ビットと８ビットとの楽音波形データは波高分解能の異なる音色の同時発音を実現するためのものであり、信号ＢＳＥＬの値は「音域」に基づいて決定されるものではなく、音域に基づくデータ変換については何も示されていなく、本件発明１のような「音色」ばかりでなく「音域」にも応じたデータ変換を行い、「音色」と「音域」との両方に合ったデータ変換を行う態様を想起させる記載はない。　すなわち、刊行物２には、本件発明１の上記構成Ａについて何も記載がなく、示唆もない。
３）以上のように各刊行物のいずれにも上記構成Ａについて何ら記載がなく、示唆もないのであるから、各刊行物の記載内容自体、もしくはそれらを組み合わせても本件発明１が容易に想到し得るとはいえない。
　また本件発明２は、本件発明１を引用して更に限定事項を付加したものであるから、本件発明１についての判断と同様の理由により、上記各刊行物に記載の発明から当業者が容易に発明をすることができたものとはいえない。
　したがって、本件発明１及び２は、特許出願の際独立して特許を受けることができるものである。
エ．むすび
　以上のとおりであるから、上記訂正は、特許法第１２０条の４第２項及び同条第３項で準用する第１２６条第２項ないし第４項、及び特許法等の一部を改正する法律（平成６年法律第１１６号）附則第６条第１項の規定に適合するので、当該訂正を認める。
III【特許異議の申立てについての判断】
ア．申立ての理由の概要
　異議申立人松本克範は、甲第１号証：特開昭６１−９５６２５号公報、甲第２号証：実願昭６２−１２０５０８号（実開昭６４−２６７９６号公報）のマイクロフィルム及び甲第３号証：特開昭６０−６３５９３号公報を提出し、訂正前の請求項１及び２に係る発明は、甲第１号証ないし甲第３号証をもとに当業者が容易になし得るものであり、特許法第２９条第２項に規定する発明に該当し、したがって訂正前の請求項１及び２に係る発明の特許は特許法第１１３条第２項に該当するので取り消されるべきであり取り消されるべき旨主張している。
イ．判断
　本件発明１及び２は、上記II．ウと同様な理由により、取消理由通知で示した各刊行物（上記甲第１、２号証）に記載された発明から容易になし得るとはいえない。また、甲第３号証には、波形メモリ１０の中の仮数部データメモリ１０Ａ及び指数部データメモリ１０Ｂには仮数及び指数の形態で波形データが記憶され読み出されることは示されているが、上記構成Ａについては何ら記載がなく、示唆もなく、当審が通知した取消理由で引用した刊行物１、２（上記甲第１、２号証）に記載の発明と甲第３号証に記載の発明を組み合わせても当業者が本件発明１及び２を容易に想到し得るものとはいえない。
ウ．以上のとおりであるから、特許異議申立ての理由及び証拠によっては、本件発明１及び２に係る特許を取り消すことはできない。
　また、他に本件発明１及び２に係る特許を取り消すべき理由を発見しない。
　よって、結論のとおり決定する。
【異議決定日】
平成１２年８月２５日（２０００．８．２５）
【訂正の要旨】
　　訂正の要旨
（１）訂正事項ａ
　特許請求の範囲の請求項１の中の「　該データ形式変換回路は前記実行制御回路からの制御信号に制御されて、所望の音色
または
せる
及び
、さらにこの各楽音発生器ごとに前記音色及び音域が設定されていて、しかも該データ変換内容が各楽音発生器ごとに設定され、さらにこのデータ変換は前記音色及び音域に応じていて、しかも該データ変換は前記各楽音発生器ごとに実行され
（２）訂正事項ｂ
　明細書の段落【０００１】の「波形データ記憶装置
を
から
（３）訂正事項ｃ
　明細書の段落【０００９】の「所望の音色
または
及び
（４）訂正事項ｄ
　明細書の段落【００１３】の「入力データＭＤ１５〜０
ば
は
（５）訂正事項ｅ
　明細書の段落【００１６】の「それを読ん
て
で
（６）訂正事項ｆ
　明細書の段落【００１７】の「波形データ記憶装置に含まれるメモリのアドレス形式に応じてアドレ
ス１ビ
スビ
（７）訂正事項ｇ
　明細書の【符号の説明】の「１
：
１
２
ス制
（５４）【発明の名称】
電子楽器
（５７）【特許請求の範囲】
　【請求項１】　複数の楽音発生器と、
　複数の鍵を有する鍵盤と所望の音色を設定する複数の音色選択スイッチと、それらを走査して得られた鍵・音色情報に応じた各種の制御信号を各楽音発生器に対応させて送出する実行制御回路と、
　鍵情報に応じた周波数ナンバを各楽音発生器に対応させて格納する周波数ナンバ回路と、
　該周波数ナンバ回路の出力値を時分割に累算し、鍵情報に応じたアドレスを出力する累算手段とを具備し、
　前記鍵情報に応じたアドレスによりデータ形式の異なる各種波形データが予め格納されている波形データ記憶装置のデータを読出して、前記複数の楽音発生器により所望の楽音を発生する電子楽器において、
　前記波形データ記憶装置より読出される所望波形データのデータ形式を変換するデータ形式変換回路を具備し、
　該データ形式変換回路は前記実行制御回路からの制御信号に制御されて、所望の音色
及び
、さらにこの各楽音発生器ごとに前記音色及び音域が設定されていて、しかも該データ変換内容が各楽音発生器ごとに設定され、さらにこのデータ変換は前記音色及び音域に応じていて、しかも該データ変換は前記各楽音発生器ごとに実行され
　【請求項２】　前記実行制御回路からの制御信号を格納する状態メモリを前記実行制御回路と前記データ形式変換回路との問に具備し、該状態メモリを読出した出力により前記データ形式変換回路の動作を制御することを特徴とする請求項１記載の電子楽器。
【発明の詳細な説明】
　　　【０００１】
　【発明の属する技術分野】
　本発明は波形データ記憶装置
から
　　　【０００２】
　【従来の技術】
　電子楽器として、音色及び音域（音高）に対応して異なる波形のデータを記憶装置に記憶させて置き、楽音発生器毎に読出しアドレスを与えて読出すことは周知となっている。
　　　【０００３】
　図８は従来の電子楽器のブロック構成図を示している。図８において、１は鍵スイッチと音色選択スイッチ、２は前記スイッチに対する割当て回路、３は実行制御回路、４は波形データ記憶装置、５はバンクメモリ、６は周波数ナンバ回路、７は周波数ナンバ累算手段、８はエンベロープ波形回路、９は乗算回路、１０は音響回路を示す。
　　　【０００４】
　鍵スイッチと音色選択スイッチ１は演奏者が演奏した鍵の位置と選定した音色とを選択するスイッチ群であり、割当て回路２は前記スイッチ群のスイッチ１を電気的に走査して、開開状態に応じた情報を内部に割当てる。そして実行制御回路３に対し鍵情報及び音色情報として送出する。
　実行制御回路３は中央処理装置を内蔵し、前記鍵情報と音色情報に基づいて波形データ記憶装置４から波形データを読出すためのアドレスを生成するなどの処理を後述のように行う。波形データ記憶装置４は音色及び音域（音高）に対応して異なる波形データを各別の場所に格納して置く。即ち、波形データ記憶装置４を複数のバンク（領域）で構成し、例えば音色及び音域（音高）とバンクとを対応させておく。そのため或る楽音を発生させるためにバンクメモリ５によりバンクを指定する。
　　　【０００５】
　次に鍵情報に応じた読出しアドレス範囲を周波数ナンバ回路６と周波数ナンバ累算手段７とにより指定する。バンクメモリ５は周波数ナンバ回路６と周波数ナンバ累算手段７とで定めたアドレスにより波形データ記憶装置４を読出す。読出された波形データは、エンベロープ波形回路８の出力により乗算回路９でエンベロープが付加され、音響回路１０によりディジタルーアナログ変換され楽音信号を得る。
　　　【０００６】
　【発明が解決しようとする課題】
　前記波形データ記憶装置４はそのデータ形式が全て同一であった。そのため所望の音色によっては波形データのビット長が少なくてもよいものや、音域によっては波形データのビット長が少なくてもよいものがある。更に波形データの形式としてリニア表現、指数表現、差分データ表現などがある。
　　　【０００７】
　このように波形データ記憶装置４に種々の形式の波形データが混在して記憶される場合、波形データ記憶装置４より読出した後エンベロープ波形により処理をするとき、そのシステムでは回路装置の都合で波形変換の出来ない表現形式もあった。
　本発明の目的は前述の欠点を改善し、波形データ記憶装置には音色及び音域（音高）として最適な形式の波形データを格納し、波形データ記憶装置より読出した後データ形式を楽音発生器に対応させ変換して処理できる電子楽器を提供することにある。
　　　【０００８】
　【課題を解決するための手段】
　図１は請求項１記載の発明の原理構成を示す図である。図１において、３は実行制御回路、４０は波形データ記憶装置、６は周波数ナンバ回路、７は周波数ナンバ累算手段、１３は状態メモリ、１５はデータ形式変換回路を示す。
　複数の楽音発生器と、複数の鍵を有する鍵盤と所望の音色を設定する複数の音色選択スイッチと、それらを走査して得られた鍵・音色情報に応じて各種の制御信号を各楽音発生器に対応させて送出する実行制御回路３と、鍵情報に応じた周波数ナンバを楽音発生器に対応させて格納する周波数ナンバ回路６と、該周波数ナンバ回路６の出力値を時分割に累算し鍵情報に応じたアドレスを発生する累算手段７とを具備し、前記鍵情報に応じたアドレスによりデータ形式の異なる各種波形データが予め格納されている波形データ記憶装置４０のデータを読出して、複数の楽音発生器により所望の楽音を発生する電子楽器において、本発明は下記の構成とする。
　　　【０００９】
　即ち、前記波形データ記憶装置４０より読出される所望波形データのデータ形式を変換するデータ形式変換回路１５を具備し、該データ形式変換回路１５は実行制御回路３からの制御信号に制御されて、所望の音色
及び
　　　【００１０】
（作用）
　図１における波形データ記憶装置４０には例えば音色及び音域（音高）に対応させた形式で、多量の波形データを予め格納させて置く。実行制御回路３から得た鍵情報・音色情報などにより周波数ナンバ回路６において周波数ナンバを得て、所定の読出アドレス範囲とするため周波数ナンバ累算手段７により累算する。
　　　【００１１】
　次に累算手段７の出力値により波形データ記憶装置４０を読出す。読出された波形データはデータ形式変換回路１５に印加される。波形データがリニア１６ビットの場合、或いはリニア１６ビットと指数表現のデータと混在している場合のように異なるデータ形式であっても、リニア表現のデータに変換する。
　その変換は楽音発生器毎に行うように状態メモリ１３よりのデータ形式変換制御信号（ＷＦＳ）を楽音発生器毎に得ることが良い。そのためデータ形式変換回路１５の出力値についてエンベロープを付加する乗算回路の構成が簡易で良い。
　　　【００１２】
　【発明の実施の形態】
　図２は請求項１記載の発明の実施の形態として、図１に示すデータ形式変換回路１５の具体的構成を示す図である。図２（Ａ）において、１５−１はデータ選択器、１５−２はインバータを示す。データ選択器１５−１に印加される信号ＷＦＳによって、入力データをそのままとすることと、変換した出力データに変換することを切換える。
　　　【００１３】
　即ち、ＷＦＳ＝“Ｌ”のとき入力データＭＤ１５〜０
は
　　　【００１４】
　図２Ｂはデータ変換器の１ビットに対する内部構成回路を示す。即ちその回路は公知のアンド回路とオア回路とを結合して構成出来る。
　次に図３は図１に示すデータ形式変換回路１５の他の回路例を示す。図３において１５−３はデータ選択器、１５−４はインバータ、１５−５はリニア表現への変換器を示す。
　　　【００１５】
　入力データＭＤ１５〜０がリニア１６ビットのデータと、仮数部１２ビット・指数部４ビットの指数表現の１６ビットデータとが混在しているとき、ＷＦＳの“Ｌ”と“Ｈ”に応じて統一データとしてデータ変換器１５−３の出力よりＭ×２−Ｐという指数表現のデータを得る。
　次に変換器１５−５によりリニア表現に変換するＹ１５〜０のデータをＭ１５〜０と表現すると、Ｙ１９〜１６によって表現される指数部Ｐの値によってＭ１５〜０のデータが図４に示すようにシフトしたものとなる。即ち、リニア表現のデータが得られる。
　　　【００１６】
　以上の説明における信号ＷＦＳは楽音発生器毎に予め定めたものを状態メモリに格納して置き、それを読ん
で
　または状態メモリの格納を音色または音域（音高）に対応したものとしておいて、それを読出してデータ形式変換器に印加することも出来る。
　図５は波形データ記憶装置を読出すアドレスについて制御することなどの構成を付加したことを示すブロック図である。図５において、５はバンクメモリ、１１は小数点位置変換回路、１２はアドレス制御回路、１３は状態メモリ、１４は周波数ナンバ調整回路、１５はデータ形式変換回路、４０は波形データ記憶装置を示す。
　　　【００１７】
　バンクメモリ５は各楽音発生器に対応するバンク領域を指定するコードを格納して置く。そのため格納データを読出して波形データ記憶装置４０に記憶されている領域を指定する。
　状態メモリ１３は波形データ記憶装置４０における１バンク領域の読出しサイズを変更するための情報信号（ＦＳ）、波形データ記憶装置に含まれるメモリのアドレス形式に応じてアドレ
スビ
　　　【００１８】
　図６は状態メモリ１３の１ワードの構成例を示すもので、前述の各情報信号ＷＦＳ〜ＦＳが０〜３ビットに格納され、４ビット以後は図示しない他部を制御するデータを格納する。この状態メモリは従来技術として示す実行制御回路３から送出される鍵情報・音色情報をアドレスデコーダによりデコードして、そのアドレスにより所定位置のワードを読出して出力する。前記鍵情報の代わりに音域情報を使用し、幾つかの鍵を１つのグループとして情報とすることも出来る。
　　　【００１９】
　次に周波数ナンバ調整回路１４は、周波数ナンバ回路６において得られた周波数ナンバを累算手段７に供給する前に調整するものである。即ち図２（Ａ）の１５−１に示すようなデータ選択器を使用し、周波数ナンバのビット列を、情報ＦＳに応じて波形データ記憶装置４０の１バンク領域のサイズを変更しても、同じ周波数で波形を読出すように調整する。
　　　【００２０】
　累算手段７は公知のように加算器と累算バッファとで構成され、各楽音発生器毎に時分割で周波数ナンバを累算し、加算器出力には波形デ一タ記憶装置読出し用のアドレスとして整数値と小数値（累算結果の端数）を得る。
　小数点位置変換回路１１は、累算手段７の出力について、そのビット列のどの位置を小数点とするかを、情報ＦＳに応じて決定し、上位にバンクコードを付加してから、波形データ記憶装置４に対する読出しアドレスを出力する。そのとき、データ選択器として図２（Ａ）の１５−１に示すようなものを使用する。例えば１バンクが６４ｋワードで合計２５６個のバンクを有する波形データ記憶装置４０において、ＦＳ＝“Ｌ”のときはそのまま使用するが、ＦＳ＝“Ｈ”のときは４ビットシフトを行って、１バンクを１Ｍワードのものとするように制御する。状態メモリ１３に楽音発生器対応に情報ＦＳを格納して置けば、楽音発生器毎にメモリ空間を多く使用する波形と、多く使用しない波形との読出しの使い分けが可能である。
　　　【００２１】
　アドレス制御回路１２は、波形データ記憶装置４０を構成するメモリがＲＯＭ，Ｄ−ＲＡＭのように種々のものとなっているとき、情報ＭＳによって読出しアドレスを制御するための回路で、２図（Ａ）に示すデータ選択器１５−１のような構成とする。ロウ及びコラムアドレスをマルチプレックスして使用するダイナミックＲＡＭが６４ｋワードのものと２５６ｋワードのものと２種類あり、更にメモリとしてＲＯＭ，Ｓ−ＲＡＭの２種類と、計４種類の形式であるとき、情報ＭＳ１，ＭＳ０を組合せ使用する制御により、メモリを切換えて使用することが出来る。
　　　【００２２】
　図７は楽音発生器を８個とした場合、情報ＦＳによる制御を時間的に示すものである。システムの１サンプル時間は、楽音発生器ＧＥＮ０〜ＧＥＮ７を同時問ずつ動作させた全体の時間となっている。
　そして図６に示す１ワードの各情報値が各楽音発生器毎に縦方向に記載されている。このように各情報信号は楽音発生器毎に異なって設定し、或いは同じように設定することが出来る。
　　　【００２３】
　【発明の効果】
　このようにして本発明によると、システムが波形データ記憶装置に格納している波形データを利用して楽音波形を発生する場合、データ形式の異なる波形データであっても共通的に対処できるので、音色に合わせたデータ形式を選択して向上した音質が容易に得られる。また各楽音発生器毎にデータ形式の制御が可能であるから、波形データの圧縮にも最適な方法が実行できる。
　　　【００２４】
　更に波形データ記憶装置におけるメモリが何のような形式のものであっても、適したアドレッシングを行うことが出来る。アドレス空間の大きさを楽音発生器毎に対応させることも容易にできるなど、電子楽器として実用上広範囲・多種類に適用可能である。
【図面の簡単な説明】
　【図１】　請求項１記載の発明の原理構成を示す図である。
　【図２】　請求項１記載の発明の実施形態としてデータ形式変換回路の構成を示す図である。
　【図３】　請求項１記載の発明の他の実施形態を示す図である。
　【図４】　リニア表現データヘのデータシフトを説明する図である。
　【図５】　更に他の実施形態の構成を示すブロック図である。
　【図６】　状態メモリの１ワード情報を示す図である。
　【図７】　８個の楽音発生器の動作タイミングを示す図である。
　【図８】　図８は従来の電子楽器の構成を示すブロック図である。
　【符号の説明】
　３…実行制御回路
　４，４０…波形データ記憶装置
　５…バンクメモリ
　６…周波数ナンバ回路
　７…周波数ナンバ累算手段
　１１…小数点位置変換回路
　１
２
ス制
　１３…状態メモリ
　１４…周波数ナンバ調整回路
　１５…データ形式変換回路